(57)【特許請求の範囲】
【請求項１】
冷気供給ダクトからの冷気が供給される冷蔵室(6)と、該冷蔵室(6)内に設置され食品等を載置するための平坦な板状部(23)とを備えた冷蔵庫において、
この板状部(23)の上面に凹部(25)を形成し、該凹部(25)内に金属板(27)を着脱可能に載置し、この金属板(27)は、両側を通風用の孔(30c)を設けたキャップ(30)にて覆われたことを特徴とする冷蔵庫。
【請求項２】
前記板状部は、棚板であることを特徴とする請求項１に記載の冷蔵庫。
【請求項３】
前記板状部(23)は、前記冷蔵室(6)の下部に設けられた特定低温室(22)の上蓋(23)であることを特徴とする請求項１に記載の冷蔵庫。
【請求項４】
前記金属板(27)は、アルミニウム板であることを特徴とする請求項１〜３のいずれか1項に記載の冷蔵庫。
【請求項５】
前記キャップ(30)が、前記金属板(27)より下方に突出することにより、前記凹部(25)内で前記金属板(27)を浮かし、この金属板(27)の下部に冷気通路(28)を形成したことを特徴とする請求項１〜４のいずれか１項に記載の冷蔵庫。
【請求項６】
前記金属板(27)の上面側を平坦形状とし、下面側を凸凹・波型等の非平坦な形状したことを特徴とする請求項１〜５のいずれか１項に記載の冷蔵庫。
【請求項７】
前記凹部(25)の周辺に傾斜部(26)を設けたことを特徴とする請求項１〜６のいずれか１項に記載の冷蔵庫。
【発明の詳細な説明】
【０００１】
【発明の属する技術分野】
本発明は、食品等を載置する棚板や食品等を一定温度下で冷蔵収納する氷温室とを備えた冷蔵庫に関するものである。
【０００２】
【従来の技術】
この種の冷蔵庫は、特開平８−１５９６３６号公報などに開示されている。一方、冷凍室で冷凍保存した食品を食する場合には、食する前に冷蔵庫から取出して自然解凍するか
、ビニール製の袋に入れて水の中に入れて解凍するなどが一般的である。また、常温状態にある食品を急冷したい場合には、特開平５−１０６９５８号公報などに開示されているように特別に設けられた急冷室にて冷蔵させるのが一般的である。
【０００３】
また、アルミ板を解凍に利用することも提案(実用登録第2600101号)されている。
【０００４】
【発明が解決しようとする課題】
本発明は、簡単な構造で解凍及び急冷が可能で、誠に使い勝手の良い冷蔵庫を提供することを目的とする。
【０００５】
【課題を解決するための手段】
この発明は、庫内背面部に設けられた冷気供給ダクトと、該ダクトからの冷気が供給される冷蔵室と、該冷蔵室内に設置され食品等を載置するための棚板とを備えた冷蔵庫において、前記棚板の上面に凹部を形成し、該凹部内に熱伝導性の良好な金属製の解凍板を着脱可能に載置し、前記金属板は、両側を通風用の孔を設けたキャップにて覆われたことを特徴とする。
【０００６】
また本発明は、庫内背面部に設けられた冷気供給ダクトと、該ダクトから供給される冷気により収納する食品を一定温度下で冷蔵する氷温室とを備えた冷蔵庫において、前記氷温室の上蓋に凹部を形成し、該凹部内に熱伝導性の良好な金属製の解凍板を着脱可能に載置したことを特徴とする。
【０００７】
【発明の実施の形態】
以下本発明の実施の形態を図面に基づき説明する。図１において、冷蔵庫１は前面を除く両側面、背面、天井面及び底面を断熱壁として構成される箱状の本体２を有する。該本体２は鋼板から成る外箱３と硬質樹脂材料から成る内箱４との間に発泡ウレタン等の断熱材５を充填して構成される。
【０００８】
前記本体２の内部は夫々仕切壁２１により冷蔵室６、野菜室７、２つの冷凍室８、９に区画されている。そして、最上部の冷蔵室６の前面開口は開閉可能な回動式の断熱扉１０により閉塞可能であり、冷蔵室６の下側の野菜室７、冷凍室８、９は引出し式の断熱扉１１、１２及び１３により夫々閉塞されている。
【０００９】
前記断熱扉１０、１１、１２及び１３は、夫々鋼板から成る扉外箱と硬質樹脂材料から成る扉内箱との間に発泡ウレタン等の断熱材を充填して構成される。
【００１０】
そして、当該冷蔵庫１には公知の冷凍サイクルユニット(図示せず)が設けられる。即ち、本体２の底部に設けられた圧縮機が冷媒を吸入圧縮して高温高圧にし、該圧縮機からの高温高圧のガス状冷媒を凝縮器が凝縮し、キャピラリーチューブにより低温低圧となった冷媒を冷気供給ダクト１４内に設けられた蒸発器が気化させる。
【００１１】
蒸発器で冷却された冷気は同じく冷気供給ダクト１４内の冷気循環用送風ファン(図示せず)により冷気吹出口を介して前記冷蔵室６、野菜室７、２つの冷凍室８、９に導入される。
【００１２】
そして、前記冷蔵室６には所定間隔を存して食品を載置可能な棚板２０が３枚設けられ、最下の棚板２０の下方には仕切壁２１上に食品を０℃近くで保存する氷温室２２が形成されている。該氷温室２２の前面には開閉可能な扉が設けられ、該氷温室２２には公知のスライド式保存容器２４（例えば、特開平１０−１０３８５４号公報などに開示）が備えられる。
【００１３】
即ち、前記保存容器２４は前記本体２の内箱４の両側壁に設けられる主ガイドに沿って該保存容器２４の両側部に突設した係合部が案内され、また前記両側壁に設けられる支持部材上を該保存容器２４の両側部に突設した補助ガイドが摺動して氷温室２２に出し入れ可能である。
【００１４】
図２、図４に示すように、前記上蓋２３は概ね矩形形状を呈して、その中央部には平面視概ね矩形形状の凹部２５が形成されており、更に詳述すれば前記凹部２５の後部及び両側部は外方にはみ出すような膨出形状の斜面部２６が形成されている。
【００１５】
そして、該凹部２５には熱伝導性の良好な金属材料、例えばアルミニウムで形成された解凍板２７が載置される。
【００１６】
このように、解凍板２７は、凹部２５内に配置される。
【００１７】
この凹部２５には、冷気(冷凍された食品から見れば暖気)が溜まるため、所定の冷蔵温度に維持される。
【００１８】
また、冷気により解凍板２７の上面が冷やされ、また凹部２５の周りに設けた斜面部２６により、冷気がこの凹部２５に潜り込むこととなり、解凍板２７の全体が冷却される。
【００１９】
前記凹部２５の前部中央には前方に向けて連なる指挿入用凹部３２が形成されており、該指挿入用凹部３２に指を入れて前記解凍板２７を持ち上げ、凹部２５から解凍板２７を取り外すことが容易となり、上蓋２３、該凹部２５及び解凍板２７の掃除を簡単に行うことができる。
【００２０】
解凍板２７の両側は樹脂製のキャップ３０により覆われている。
【００２１】
図３、図５に示すように、前記上蓋２３は、氷温室２２の上蓋である。そのため、この解凍板２７に熱い食品を載置される氷温室２２に悪影響を及ぼすかもしれない。
【００２２】
このため、下板３３を設け、この上蓋２３との間に空気断熱層を形成している。また、解凍板２７の下面は、フィンが等間隔に設けられ、放熱性を高めている。キャップ３０には、このフィン間に対応して、通風用孔３０ｃを設けている。また、キャップ３０は、この解凍板２７より、上下方向に少しだけ寸法がある。したがって、キャップの上部３０ａ及び下部３０ｂのうち、下部３０ｂは凹部２５内で、解凍板２７を浮き上がらせる役目をする。
【００２３】
ここで、冷凍室８、９内で冷凍保存された食品を食する場合においては、該冷凍室８、９より冷凍保存された食品を取出し、前記氷温室２２の上蓋２３の前記凹部２５に設置された解凍板２７に載置する。
【００２４】
すると、冷蔵室６内に供給された冷気は、斜面部２６から導入されて解凍板２７裏面と前記凹部２５を形成する底面との間の通路２８を経由して、解凍板２７を所定の温度にし、前記食品の解凍の手助けをする。
【００２５】
凹部２５を設けたことにより、解凍板２７が移動することもなく、また、解凍板２７と上蓋２３の両者の上面段差を小さくできるので、大きな食品も安定的に載置できる。
【００２６】
なお、上述の説明では、金属板を解凍板として説明したが、常温状態にある食品を急冷
したい場合にも、この金属板２７に載置することにより、冷却時間を短縮することもできる。したがって、この金属板２７は、解凍のみに用いられるものではない。
【００２７】
本実施形態では前記氷温室２２の上蓋２３の凹部２５に解凍板２７を取り外し可能に設けたが、食品を載置する前記冷蔵室６内に設置される各棚板２０をこの上蓋２３と同様な構造にすることによっても、同様な効果が得られる。
【００２８】
本実施形態では、冷気供給ダクトからの冷気が供給される冷蔵室６と、この冷蔵室の下部に設けられた特定低温室である氷温室２２を備えた冷蔵庫において、食品等を載置するための平坦な板状部である氷温室２２の上蓋２３のの上面に凹部２５を形成し、この凹部２５内に金属板である解凍板２７を着脱可能に載置している。
【００２９】
したがって、解凍板２７の取り外しが容易となり、掃除が簡単である。また、解凍板２７を取り外さずに掃除を行う場合でも、解凍板２７と上蓋２３の面が略一致し、掃除が簡単である。また、食品を置く場合においても、解凍板２７とそれ以外の部分で大きな段差が生じないので、食品の収納性が低下することもない。
【００３０】
また、解凍板２７は、両側をキャップ３０にて覆われているので、金属のエッジで怪我をすることもない。
【００３１】
また、このキャップ３０には通風用の孔３０ｃを設けているので、放熱性が向上する。
【００３２】
また、このキャップ３０が、解凍板２７より下方に突出することにより、凹部２５内で解凍板２７を浮かし、この解凍板２７の下部に冷気通路２８を形成し、放熱性を高めている。
【００３３】
また、解凍板２７の上面側を平坦形状とし、下面側を凸凹・波型等の非平坦な形状したことにより、放熱性を高めている。
【００３４】
また、凹部２５の周辺に傾斜部２６を設けたことにより、放熱性を高めている。
【００３５】
【発明の効果】
以上のように、簡単な構造で解凍及び急冷が可能で、誠に使い勝手の良い冷蔵庫を提供できる。
【図面の簡単な説明】
【図１】冷蔵庫の縦断側面図である。
【図２】上蓋の平面図である。
【図３】上蓋の断面図である。
【図４】解凍板を取り除いた上蓋の平面図である。
【図５】解凍板の上蓋の断面図である。
【符号の説明】
６            冷蔵室
１４          冷気供給ダクト
２０          棚板
２２          氷温室(特定低温室)
２３          上蓋(板状部)
２５          凹部
２７          解凍板(金属板)
２８          通路(冷気通路)
３０          キャップ
３０ｃ        孔
【図１】
0003749087.tif 000002
【図２】
0003749087.tif 000003
【図３】
0003749087.tif 000004
【図４】
0003749087.tif 000005
【図５】
0003749087.tif 000006